(57)【要約】      （修正有）【課題】光触媒が設けられた蛍光管部を用いる場合に、蛍光ユニットの電気接続部をゴミ、埃等の異物から保護することができる照明器具を提供する。【解決手段】照明器具１は、直管型の蛍光ユニット２及び円筒状の保護管３を備える。蛍光ユニット２は、光触媒が外周に設けられた蛍光管部２１と、蛍光管部の端部に設けられた電気接続部２２とを有する。保護管３は、蛍光管部及び電気接続部の外周を覆う、透明の樹脂によって形成されている。保護管における、蛍光管部に対向する位置には、保護管の内部と外部とに空気を流通させるための流通孔が形成されている。保護管における、流通孔が形成された部位よりも端部側の部位には、蛍光管部の外周面２０１と保護管の内周面３０１との間の隙間を塞ぐパッキン４が配置されている。【選択図】図２
0003227644.tif 000002
【実用新案登録請求の範囲】
【請求項１】
光触媒が外周に設けられた蛍光管部、及び前記蛍光管部の端部に設けられた電気接続部を有する直管型の蛍光ユニットと、
前記蛍光管部及び前記電気接続部の外周を覆う、透明又は半透明の保護管と、を備え、
前記保護管における、前記蛍光管部に対向する位置には、前記保護管の内部と外部とに空気を流通させるための流通孔が形成されており、
前記保護管における、前記流通孔が形成された部位よりも端部側の部位には、前記蛍光管部の外周面と前記保護管の内周面との間の隙間を塞ぐパッキンが配置されている、照明器具。
【請求項２】
前記保護管内には、前記蛍光ユニットを支持する支持部材が挿通されており、
前記パッキンは、前記保護管内における、前記支持部材を除く隙間に、前記支持部材に係合して配置されている、請求項１に記載の照明器具。
【請求項３】
前記電気接続部は、前記蛍光管部の両端部に設けられており、
前記パッキンは、前記保護管における、前記流通孔が形成された部位の全体に対する両端部側の部位に配置されている、請求項１又は２に記載の照明器具。
【請求項４】
前記流通孔は、前記保護管の周方向における正面側の部位であって、前記保護管の長手方向における複数の部位において、前記長手方向に長い長穴形状に形成されている、請求項１〜３のいずれか１項に記載の照明器具。
【請求項５】
前記蛍光管部は、冷陰極ランプ及び前記冷陰極ランプを駆動する駆動回路基板が収容された円筒部材と、前記円筒部材の外周に付着された光触媒及びナノシルバーとを有する、請求項１〜４のいずれか１項に記載の照明器具。
【考案の詳細な説明】
【技術分野】
【０００１】
本考案は、光触媒による除菌が可能な照明器具に関する。
【背景技術】
【０００２】
種々の蛍光管部を有する直管型の照明器具は、部屋の天井部に設けられる設置式のもの、スタンドに設けられる移動式のもの等がある。蛍光管部は、破損しやすい性質を有するため、透明又は半透明の保護管によって覆って保護することがある。
【０００３】
例えば、特許文献１の蛍光灯照明装置においては、蛍光管部としての蛍光ランプの外周側に２重構造の保護管を配置し、エンドホルダによって２重構造の保護管を蛍光ランプの端部に取り付けることが記載されている。また、特許文献２の可分解有機気体と除菌除湿の装置は、発光ユニットと、発光ユニットを覆うとともに内壁に光触媒層が設けられたランプシェードとを備えることが記載されている。特許文献２においては、ランプシェードの下端には、ランプシェード内に空気を流入させるための吸気部が形成され、ランプシェードの上端には、ランプシェード内から空気を流出させるための排気部が形成されている。
【先行技術文献】
【特許文献】
【０００４】
【特許文献１】実開平３−４４８０９号公報
【特許文献２】実用新案登録第３２１７７７４号公報
【考案の概要】
【考案が解決しようとする課題】
【０００５】
蛍光管部を保護する目的であれば、保護管に特に工夫をする必要はない。しかし、光触媒が設けられた蛍光管部を保護管によって保護する場合には、光触媒に空気が接触できるようにする必要がある。特許文献１においては、光触媒が用いられないため、保護管に特別な工夫は必要とされない。一方、特許文献２においては、ランプシェードの両端が開放されていることにより、この両端からランプシェードと発光ユニットとの間にゴミ、埃等が入るおそれがある。そして、発光ユニットの端部に電気接続部が設けられている場合には、電気接続部にゴミ、埃等の異物が溜まり、電気的な障害の原因になるおそれがある。
【０００６】
本考案は、かかる課題に鑑みてなされたもので、光触媒が設けられた蛍光管部を用いる場合に、蛍光ユニットの電気接続部をゴミ、埃等の異物から保護することができる照明器具を提供しようとして得られたものである。
【課題を解決するための手段】
【０００７】
本考案の一態様は、
光触媒が外周に設けられた蛍光管部、及び前記蛍光管部の端部に設けられた電気接続部を有する直管型の蛍光ユニットと、
前記蛍光管部及び前記電気接続部の外周を覆う、透明又は半透明の保護管と、を備え、
前記保護管における、前記蛍光管部に対向する位置には、前記保護管の内部と外部とに空気を流通させるための流通孔が形成されており、
前記保護管における、前記流通孔が形成された部位よりも端部側の部位には、前記蛍光管部の外周面と前記保護管の内周面との間の隙間を塞ぐパッキンが配置されている、照明器具にある。
【考案の効果】
【０００８】
前記一態様の照明器具においては、保護管に形成された流通孔を介して、保護管の内部と外部との間で空気が流通する。これにより、蛍光管部から光が照射される際に、活性化された光触媒に空気が接触し、空気の除菌、脱臭等を行うことができる。
【０００９】
また、保護管における、流通孔が形成された部位よりも端部側の部位には、パッキンが配置されている。このパッキンにより、保護管の流通孔から保護管内に入るゴム、埃等が、蛍光ユニットにおける電気接続部へ侵入することが抑制される。これにより、電気接続部に、ゴミ、埃等の異物が溜まりにくくなり、電気接続部に電気的な障害の発生が抑制される。
【００１０】
それ故、前記一態様の照明器具によれば、光触媒が設けられた蛍光管部を用いる場合に、蛍光ユニットの電気接続部をゴミ、埃等の異物から保護することができる。
【図面の簡単な説明】
【００１１】
【図１】実施形態１にかかる、複数の照明器具が配置されたスタンド照明装置を示す全体図である。
【図２】実施形態１にかかる、スタンド照明装置における、複数の照明器具のパッキンが配置された下端部付近を、照明器具の長手方向に沿った断面によって示す説明図である。
【図３】実施形態１にかかる、スタンド照明装置における、複数の照明器具のパッキンが配置された上端部付近を、照明器具の長手方向に沿った断面によって示す説明図である。
【図４】実施形態１にかかる、スタンド照明装置における、複数の照明器具の下端側のパッキンの周辺を、照明器具の長手方向に直交する断面によって示す説明図である。
【図５】実施形態１にかかる、照明器具の蛍光ユニットの蛍光管部の内部を、照明器具の長手方向に直交する断面によって示す説明図である。
【図６】実施形態２にかかる、照明器具が配置された天井照明装置を、側方から見た状態で示す説明図である。
【図７】実施形態２にかかる、照明器具が配置された天井照明装置を、下方から見た状態で示す説明図である。
【考案を実施するための形態】
【００１２】
前述した照明器具にかかる好ましい実施形態について、図面を参照して説明する。
＜実施形態１＞
本形態の照明器具１は、図１〜図４に示すように、直管型の蛍光ユニット２及び円筒状の保護管３を備える。蛍光ユニット２は、光触媒２６が外周に設けられた蛍光管部２１と、蛍光管部２１の端部に設けられた電気接続部２２とを有する。保護管３は、蛍光管部２１及び電気接続部２２の外周を覆う、透明の樹脂によって形成されている。
【００１３】
図２及び図３に示すように、保護管３における、蛍光管部２１に対向する位置には、保護管３の内部と外部とに空気を流通させるための流通孔３１が形成されている。保護管３における、流通孔３１が形成された部位よりも端部側の部位には、蛍光管部２１の外周面２０１と保護管３の内周面３０１との間の隙間を塞ぐパッキン４が配置されている。
【００１４】
以下に、本形態の照明器具１について詳説する。
（照明器具１）
本形態の照明器具１は、屋内において使用されるものである。照明器具１には、設置式のもの及び移動式のものがある。照明器具１は、屋内の天井部から吊り下げて使用してもよく、キャスタによる可搬式のスタンド、あるいは折り畳み式のスタンドに固定して使用してもよい。
【００１５】
図１〜図３に示すように、本形態の照明器具１は、キャスタ７１１によって移動可能なスタンド部材７１に、上下方向に向けて複数配置されている。換言すれば、複数の照明器具１は、互いに平行な状態で、その長手方向Ｌが上下方向に向けられた状態でスタンド部材７１に支持されて、縦型のスタンド照明装置１０を構成している。複数の照明器具１は、スタンド照明装置１０に放射状に配置されており、各照明器具１における蛍光ユニット２の光の照射方向は、外周側に向けられている。
【００１６】
スタンド照明装置１０は、コンセント差込口等の電源配線部が設けられたスタンド部材７１と、スタンド部材７１に起立する状態で設けられた支柱部材７２とを備える。スタンド部材７１の下面には、複数のキャスタ７１１が設けられている。スタンド部材７１及び支柱部材７２には、各蛍光ユニット２をそれぞれ支持する複数の支持部材６が、放射状に配置されている。各支持部材６の上下の端部は、支柱部材７２に取り付けられている。支柱部材７２及び複数の支持部材６の上下の端部には、保護管３を保持する保持部材７３が配置されている。各支持部材６は、各保護管３内に挿通された状態で支柱部材７２に取り付けられている。
【００１７】
（蛍光ユニット２）
蛍光ユニット２は、光を照射するものであればよい。本形態の蛍光ユニット２は、冷陰極蛍光管（ＣＣＦＬ）によって構成されている。冷陰極蛍光管は、電子の放出に外部からの加熱エネルギーを必要としない電子管である。なお、蛍光ユニット２は、一般的な蛍光灯としての熱陰極蛍光管（ＨＣＦＬ）としてもよく、ＬＥＤ（発光ダイオード）を用いた蛍光管としてもよい。
【００１８】
（蛍光管部２１）
図５に示すように、蛍光管部２１は、冷陰極ランプ２３及び冷陰極ランプ２３を駆動する駆動回路基板２４が収容された円筒部材２５と、円筒部材２５の外周に付着された光触媒２６及びナノシルバー２７とを有する。冷陰極ランプ２３は、発光物質が内壁に設けられたガラス管と、ガラス管内に充填された不活性ガス及び水銀と、ガラス管内に配置された電極とを有する。冷陰極ランプ２３の電極に電圧を印加すると、電圧の印加によって生じる電子が、ガラス管内に充填された不活性ガス及び水銀原子を移動させ、水銀原子がガラス管の内壁に設けられた発光物質を発光させる。
【００１９】
駆動回路基板２４は、冷陰極ランプ２３の電極に電圧を印加する、インバータによる電源回路を有する。円筒部材２５は、周方向Ｃの正面側に位置する、半透明の（乳白色を呈する）樹脂によって形成された正面側部分２１１と、周方向Ｃの背面側に位置する、不透明の樹脂によって形成された背面側部分２１２とを有する。
【００２０】
正面側部分２１１の内部には、冷陰極ランプ２３が配置されており、背面側部分２１２の内部には、駆動回路基板２４が配置されている。冷陰極ランプ２３から発せられる光は、円筒部材２５の正面側部分２１１の外周面に設けられた光触媒２６及びナノシルバー２７を通って、周囲に照射される。また、駆動回路基板２４から発せられる熱によって光触媒２６は活性化する。光触媒２６及びナノシルバー２７は、円筒部材２５の正面側部分２１１の外周面及び背面側部分２１２の外周面に配置されている。
【００２１】
光触媒２６は、酸化チタンによって構成されている。光触媒２６は、蛍光管部２１又は太陽光による光（紫外線）を受けて、光触媒作用としての酸化力を発生させるものである。この酸化力により、空気中に浮遊して光触媒２６に接触する有機化合物、細菌等の有害物質を分解することができる。
【００２２】
円筒部材２５の外周面に配置された光触媒２６は、蛍光管部２１から発せられる光を受けて、酸化力を発生させる。また、光触媒２６は、駆動回路基板２４から発せられる熱を受けて活性化する。そして、保護管３の流通孔３１から保護管３内に入る空気が、円筒部材２５における光触媒２６に接触するときには、空気中の有機化合物、細菌等が分解されて除去される。
【００２３】
ナノシルバー２７は、ナノサイズを有する銀の微細粒子によって構成されている。ナノシルバー２７は、電位及び空気中の水分を受けて銀イオンを発生させる。銀イオンは、種々の細菌等を除去する殺菌効果を有する。
【００２４】
（電気接続部２２）
図２及び図３に示すように、電気接続部２２は、駆動回路基板２４に交流電源等の電力を供給するための部分である。電気接続部２２は、電気接続が行われる接触部として形成されている。電気接続部２２は、蛍光ユニット２を保持するソケット５の接点部に接触する。本形態の電気接続部２２は、蛍光管部２１の両端部に一対に設けられている。
【００２５】
ソケット５は、各保護管３内の上下の端部付近において、保護管３内に位置する、支持部材６の部分に取り付けられている。ソケット５には、蛍光ユニット２の電気接続部２２が接続される接点部が設けられている。ソケット５は、ブラケット６１によって支持部材６に固定されている。各蛍光ユニット２は、長手方向Ｌの両端部においてブラケット６１によって支持部材６に支持されるとともに、長手方向Ｌの中間部においても支持部材６に支持されている。
【００２６】
（保護管３）
図２〜図４に示すように、保護管３は、ポリカーボネート（ＰＣ）等の透明の樹脂によって形成されている。なお、保護管３は、乳白色等の半透明の樹脂によって形成してもよい。保護管３は、蛍光ユニット２の全体、換言すれば蛍光管部２１及び一対の電気接続部２２を覆う円筒形状に形成されており、蛍光ユニット２を外部との衝突から保護する。保護管３には、複数の流通孔３１が形成されている。スタンド照明装置１０における各保護管３内には、各蛍光ユニット２をそれぞれ支持する各支持部材６が挿通されている。
【００２７】
本形態の流通孔３１は、保護管３の周方向における正面側の部位、換言すれば、保護管３における、蛍光管部２１の円筒部材２５の正面側部分２１１に対向する部位に形成されている。流通孔３１は、保護管３の長手方向Ｌにおける複数の部位において、長手方向Ｌに長い長穴形状に形成されている。換言すれば、長穴形状の流通孔３１は、保護管３における長手方向Ｌに並んで複数形成されている。
【００２８】
流通孔３１が保護管３の正面側の部位において長手方向Ｌの複数の部位に形成されていることにより、保護管３の強度を維持しつつ、空気が保護管３内の蛍光管部２１に接触する状態を形成することができる。
【００２９】
（パッキン４）
図２〜図４に示すように、本形態のパッキン４は、弾性を有するゴム材料によって構成されており、蛍光管部２１の外周面２０１に装着されている。パッキン４は、蛍光管部２１の外周面２０１よりも小さな内径の装着穴４１を有しており、装着穴４１を拡径するよう弾性変形した状態で蛍光管部２１の外周面２０１に装着されている。そして、パッキン４が蛍光管部２１から抜け出すことが防止されている。また、パッキン４の外周部４２は、保護管３の内径よりも大きな外径を有しており、パッキン４の外周部４２は、保護管３の内周面３０１に密着する。
【００３０】
図４に示すように、本形態のパッキン４の外周部４２には、支持部材６が配置される部分に対応した切欠き部４２１が形成されている。パッキン４は、保護管３内における、支持部材６を除く隙間に、支持部材６に係合して配置されている。また、パッキン４は、蛍光管部２１の長手方向Ｌに直交する断面において、支持部材６の外周側には配置されていない。そして、蛍光管部２１の長手方向Ｌに直交する断面において、支持部材６の両側の位置には、パッキン４の切欠き部４２１と保護管３の内周面３０１との間の隙間が残されている。パッキン４が蛍光管部２１の外周面２０１の全周に密着することにより、切欠き部４２１と保護管３の内周面３０１との間に若干の隙間があっても、電気接続部２２にゴミ、埃等が侵入することが抑制される。
【００３１】
図１〜図３に示すように、本形態のパッキン４は、保護管３における、流通孔３１が形成された部位の全体に対する両端部側の部位に配置されている。そして、パッキン４により、流通孔３１から、蛍光管部２１の長手方向Ｌの両端に設けられた電気接続部２２へゴミ、埃等の異物が侵入しにくくする。
【００３２】
（作用効果）
本形態の照明器具１においては、保護管３に形成された複数の流通孔３１を介して、保護管３の内部と外部との間で空気が流通する。また、蛍光ユニット２の蛍光管部２１から光が照射されるときには、光触媒２６及びナノシルバー２７が活性化される。そして、流通孔３１から保護管３内に流入する空気が光触媒２６、及びナノシルバー２７から生じた銀イオンに接触することにより、空気の除菌、脱臭等をすることができる。
【００３３】
また、保護管３における、流通孔３１が形成された部位の全体に対する長手方向Ｌの両端部側の部位には、パッキン４がそれぞれ配置されている。このパッキン４により、保護管３の流通孔３１から保護管３内に入るゴム、埃等が、蛍光管部２１の端部に設けられた電気接続部２２へ侵入することが抑制される。これにより、電気接続部２２に、ゴミ、埃等の異物が溜まりにくくなり、電気接続部２２に電気的な障害の発生が抑制される。
【００３４】
それ故、本形態の照明器具１によれば、光触媒２６が設けられた蛍光管部２１を用いる場合に、蛍光ユニット２の電気接続部２２をゴミ、埃等の異物から保護することができる。
【００３５】
＜実施形態２＞
本形態の照明器具１は、図６及び図７に示すように、屋内の天井部から吊り下げて使用されるものである。本形態の照明器具１は、吊下型の天井照明装置１００を構成する。照明器具１を構成する蛍光ユニット２、保護管３及び支持部材６の構成は実施形態１の場合と同様である。蛍光ユニット２は、保護管３内に挿通され、保護管３内に挿通された支持部材６によって支持されている。
【００３６】
蛍光ユニット２及び保護管３の両端部には、蛍光ユニット２の電気接続部２２が接続されるソケット５が配置されている。支持部材６の両端部は、ソケット５に取り付けられている。また、保護管３の外周面には、天井部に取り付けられる取付金具８が装着されている。
【００３７】
本形態の照明器具１においても、保護管３における、複数の流通孔３１が形成された部位の全体に対する両端部側の部位にパッキン４が配置されている。そして、流通孔３１から保護管３内に入るゴミ、埃等は、パッキン４によって、蛍光ユニット２の電気接続部２２に浸入することが抑制される。
【００３８】
本形態の照明器具１における、その他の構成、作用効果等については、実施形態１の照明器具１の構成、作用効果等と同様である。また、本形態においても、実施形態１に示した符号と同一の符号が示す構成要素は、実施形態１の構成要素と同様である。
【００３９】
本考案は、各実施形態に限定されるものではなく、その要旨を逸脱しない範囲においてさらに異なる実施形態を構成することが可能である。また、本考案は、様々な変形例、均等範囲内の変形例等を含む。さらに、本考案から想定される様々な構成要素の組み合わせ、形態等も本考案の技術思想に含まれる。
【符号の説明】
【００４０】
１  照明器具
１０  スタンド照明装置
１００  天井照明装置
２  蛍光ユニット
２０１  外周面
２１  蛍光管部
２２  電気接続部
２３  冷陰極ランプ
２４  駆動回路基板
２５  円筒部材
２６  光触媒
２７  ナノシルバー
３  保護管
３０１  内周面
３１  流通孔
４  パッキン
４１  装着穴
４２  外周部
４２１  切欠き部
５  ソケット
６  支持部材
６１  ブラケット
【図１】
0003227644.tif 000003
【図２】
0003227644.tif 000004
【図３】
0003227644.tif 000005
【図４】
0003227644.tif 000006
【図５】
0003227644.tif 000007
【図６】
0003227644.tif 000008
【図７】
0003227644.tif 000009